(57)【要約】【課題】  手動でフォーカスを合わせるときに、ビューファインダなどに表示する画像で合焦状態が容易に判別できる撮像装置を提供することである。【解決手段】  撮像レンズを介して取り込んだ映像から画像信号を生成する撮像手段と、撮像レンズの合焦状態を手動調整することができるフォーカス調整手段と、撮像手段で生成された画像信号の輪郭成分を抽出して輪郭補正信号を生成する輪郭補正信号生成手段と、撮像手段で生成される画像信号と輪郭補正信号生成手段で生成される輪郭補正信号を切り換えて画像表示手段に送出する信号切換送出手段と、フォーカス調整手段の動作を検出し、検出した動作が手動調整の場合、輪郭補正信号を送出するように信号送出切換手段の切り換え動作を制御することができるフォーカス調整動作検出手段を備える。【選択図】  図１
2005278053.tif 000002
【特許請求の範囲】
【請求項１】
撮像レンズを介して取り込んだ映像から画像信号を生成する撮像手段と、
前記撮像レンズの合焦状態を手動調整することができるフォーカス調整手段と、
前記撮像手段で生成された画像信号の輪郭成分を抽出して輪郭補正信号を生成する輪郭補正信号生成手段と、
前記撮像手段で生成される画像信号と前記輪郭補正信号生成手段で生成される輪郭補正信号を切り換えて画像表示手段に送出する信号切換送出手段と、
前記フォーカス調整手段の動作を検出し、該検出した動作が手動調整の場合、前記輪郭補正信号を送出するように前記信号送出切換手段の切り換え動作を制御することができるフォーカス調整動作検出手段と、を備えていること
を特徴とする撮像装置。
【請求項２】
前記輪郭補正信号生成手段は、前記画像信号から抽出した輪郭成分に所定の色情報を付加して輪郭補正信号を生成する機能を備えていること
を特徴とする請求項１に記載の撮像装置。
【発明の詳細な説明】
【技術分野】
【０００１】
本発明は、撮影装置に関するものである。詳細は、手動でフォーカスを合わせるときに、ビューファインダなどに表示する画像で合焦状態が容易に判別できるようにした撮影装置に関するものである。
【背景技術】
【０００２】
ビデオカメラなどの撮像装置において、手動でフォーカスを合わせる場合、フォーカスリングを操作しながらビューファインダなどに表示される画像を見て合焦状態を確認している。
【０００３】
しかしながら、ビューファインダに表示される画像では合焦状態が判別し難いことがある。そこで、撮影する被写体の輪郭を強調して画面表示させることによって、合焦状態を判別し易くする撮像装置がある。
【０００４】
図５は、撮影する被写体の輪郭を強調する輪郭強調回路を備えた撮像装置の主要部を簡略化して示したブロック図の一例であり、撮像レンズ１０Ａ，撮像回路２０Ａ，輪郭強調回路３０Ａ，遅延回路１Ａ，加算回路２Ａ，画像表示回路６０などから構成される。
【０００５】
このような構成の撮像装置により、まず、撮像回路２０Ａによって撮像レンズ１０Ａを介して取り込んだ映像から画像信号が生成され、遅延回路１Ａと輪郭強調回路３０Ａに送られる。
【０００６】
次に、輪郭強調回路３０Ａでは、撮像回路２０Ａから送られてくる画像信号の輪郭成分を強調処理して出力する。一方、遅延回路１Ａは、撮像回路２０Ａから送られてくる画像信号を輪郭強調処理３０Ａの処理時間分だけ遅延させて出力する。
【０００７】
そして、加算回路２Ａによって、輪郭強調回路３０Ａで輪郭成分を強調処理された画像信号と遅延回路１Ａから送られてくる画像信号を合成して画像表示回路６０に送り、ビューファインダなどに被写体の輪郭が強調された画像信号を画面表示するものである。
【０００８】
このように、被写体の輪郭を強調して画面表示する撮像装置として、例えば、フォーカス調整モード設定スイッチを押圧すると、アイリス機構を制御してレンズの絞りを開放にして被写界深度を浅くし、また、アンプのゲインを制御して映像の輪郭強調信号のレベルを大きくして、被写体の輪郭を強調することで、フォーカス調整時の撮像画像の視認性を向上させ、合焦操作を容易にするビデオカメラなどが考案されている（特許文献１参照）。
【特許文献１】特開平８−２７９９５０号公報（第４−５頁、図１）
【発明の開示】
【発明が解決しようとする課題】
【０００９】
しかしながら、最近では撮像装置の小型化とコストダウンによりビューファインダなどの画像表示手段も小型化され、また、そのために解像度が十分でないこともあり、上述したように被写体の輪郭を強調して表示すると画面の視認性を低下させ、合焦状態の判別が困難になってしまう場合があるという問題を有している。
【００１０】
従って、撮像装置でフォーカスを手動調整するときに、ビューファインダなどに表示した画像により合焦状態を容易に判別できるようにすることに解決しなければならない課題を有する。
【課題を解決するための手段】
【００１１】
前記課題を解決するため、本発明に係る撮像装置は次のような構成にすることである。
【００１２】
（１）撮像レンズを介して取り込んだ映像から画像信号を生成する撮像手段と、前記撮像レンズの合焦状態を手動調整することができるフォーカス調整手段と、前記撮像手段で生成された画像信号の輪郭成分を抽出して輪郭補正信号を生成する輪郭補正信号生成手段と、前記撮像手段で生成される画像信号と前記輪郭補正信号生成手段で生成される輪郭補正信号を切り換えて画像表示手段に送出する信号切換送出手段と、前記フォーカス調整手段の動作を検出し、該検出した動作が手動調整の場合、前記輪郭補正信号を送出するように前記信号送出切換手段の切り換え動作を制御することができるフォーカス調整動作検出手段と、を備えていることを特徴とする撮像装置。
（２）前記輪郭補正信号生成手段は、前記画像信号から抽出した輪郭成分に所定の色情報を付加して輪郭補正信号を生成する機能を備えていることを特徴とする（１）に記載の撮像装置。
【００１３】
本発明では、フォーカス調整動作検出手段によって、フォーカス調整手段の動作を検出し、フォーカス調整手段によって手動でフォーカス調整が行われている場合、信号切換送出手段を切り換えて、撮像手段で生成された画像信号の輪郭成分を抽出して生成する輪郭補正信号を画像表示手段に送出することにより、フォーカスを手動調整するときに被写体の輪郭部分のみを画面表示することができる。
【００１４】
また、輪郭補正信号生成手段により抽出した画像信号の輪郭成分に色情報を付加した輪郭補正信号を生成することにより、色の付加された輪郭補正信号を画面表示することもできる。
【発明の効果】
【００１５】
本発明の撮像装置は、手動でフォーカスを調整している状態を検出すると、撮像レンズを介して取り込まれる画像から抽出した輪郭成分のみを画面表示することができるので、フォーカスの手動調整時に合焦状態を容易に判別できるという優れた効果を奏するものである。
【００１６】
また、抽出した輪郭成分に識別しやすい色を付加することにより、画面の視認性を向上させて合焦状態の判別を更に容易することもできるというメリットがある。
【発明を実施するための最良の形態】
【００１７】
次に、本発明の撮像装置による実施の形態について図面を参照して説明する。但し、図面は専ら解説のためのものであって、本発明の技術的範囲を限定するものではない。
【実施例】
【００１８】
図１は、本発明に係る撮像装置の主要部の構成を簡略化して示したブロック図であり、撮像レンズ１０，撮像回路２０，フォーカス調整部２５，輪郭補正信号発生回路３０，フォーカス調整動作検出回路４０，切換送出回路５０，画像表示回路６０などから構成される。
【００１９】
撮像回路２０は、光を電気信号に変換する撮像素子（例えば、ＣＣＤ；Ｃｈａｒｇｅ  Ｃｏｕｐｌｅｄ  Ｄｅｖｉｃｅなど）を備え、撮像レンズ１０を介して取り込まれた映像（被写体）を撮像素子によって電気信号に変換して画像信号Ｓ１（デジタル信号）を生成する。
【００２０】
フォーカス調整部２５は、撮像レンズ１０のフォーカス（焦点距離）を調整するフォーカスリングなどの機構を手動及び自動で調整することができる機能を備えている。
【００２１】
輪郭補正信号発生回路３０は、撮像回路２０で生成された画像信号Ｓ１から輪郭成分の信号だけを抽出して輪郭補正信号Ｓ２を生成する。
【００２２】
なお、輪郭補正信号Ｓ２に色情報を付加する機能を輪郭補正信号発生回路３０に設けることにより、通常白黒信号である輪郭補正信号Ｓ２に色を付加し、画面表示されるときの視認性を向上させることも可能である。
【００２３】
フォーカス調整動作検出回路４０は、フォーカス調整部２５によるフォーカス調整時の動作を検出し、検出した動作に基づいて切換制御信号を生成して切換送出回路５０の切り換え動作を制御する。
【００２４】
また、フォーカス調整動作検出回路４０は、切換送出回路５０のスイッチを所定の時間間隔で交互に切り換えるように制御する切換制御信号を生成することも可能である。
【００２５】
切換送出回路５０は、フォーカス調整動作検出回路４０からの切換制御信号に従ってスイッチをａ側又はｂ側に切り換えることにより、撮像回路２０から送られてくる画像信号Ｓ１、又は、輪郭補正信号発生回路３０から送られてくる輪郭補正信号Ｓ２を画像表示回路６０に送り出す。
【００２６】
また、切換送出回路５０は、スイッチを交互に切り換え、画像表示回路６０に対して画像信号Ｓ１と輪郭補正信号Ｓ２を所定の時間間隔で交互に送り出すことも可能である。
【００２７】
画像表示回路６０は、切換送出回路５０を介して送られてくる画像信号Ｓ１又は輪郭補正信号Ｓ２をビューファインダなどの画面に表示させる。
【００２８】
また、画像信号Ｓ１と輪郭補正信号Ｓ２を合成処理してから画面表示する機能を画像表示回路６０に設けることにより、切換送出回路５０から送られてくる画像信号Ｓ１と輪郭補正信号Ｓ２を合成してから画面表示させることもできる。
【００２９】
ここで、輪郭補正信号発生回路３０によって画像信号Ｓ１から輪郭補正信号Ｓ２を生成するときの動作概要について図２及び図３を参照しながら説明する。
【００３０】
図２は、輪郭補正信号発生回路３０の構成を簡略化して示したブロック図であり、遅延部３１，遅延部３２，加算処理部３３，演算処理部３４，減算処理部３５などから構成される。
【００３１】
また、図３は、画像信号Ｓ１から輪郭補正信号Ｓ２を生成するときの過程を模式化して示した図であり、（ａ）〜（ｆ）は、図２の各ブロックから出力される信号（縦軸；信号レベル、横軸；時間）を示している。
【００３２】
まず、輪郭補正信号発生回路３０では、撮像回路２０から送られてくる画像信号Ｓ１を遅延部３１と加算処理部３３に送る（図３（ａ）参照）。
【００３３】
遅延部３１では、画像信号Ｓ１より所定時間ｔだけ遅延させた信号Ｖ２を遅延部３２と減算処理部３５に送る（図３（ｂ）参照）。
【００３４】
遅延部３２は、遅延部３１から送られてくる信号Ｖ２より更に所定時間ｔだけ遅延させた信号Ｖ３を加算処理部３３に送る（図３（ｃ）参照）。
【００３５】
加算処理部３３は、撮像回路２０から送られてくる画像信号Ｓ１と、遅延部３２から送られてくる信号Ｖ３を加算処理して生成する（Ｓ１＋Ｖ３）信号を演算処理部３４に送る（図３（ｄ）参照）。
【００３６】
演算処理部３４は、次に示す数式に基づき、加算処理部３３から送られてくる（Ｓ１＋Ｖ３）信号を演算処理して信号Ｖ４を生成し、生成した信号Ｖ４を減算処理部３５に送る（図３（ｅ）参照）。
【００３７】
信号Ｖ４ ＝ （画像信号Ｓ１＋信号Ｖ３）／２
【００３８】
そして、減算処理部３５は、次に示す数式に基づき、遅延部３１から送られてくる信号Ｖ２と演算処理部３４から送られてくる信号Ｖ４を減算処理して輪郭補正信号Ｓ２を生成し、生成した輪郭補正信号Ｓ２を切換送出回路５０へ出力する（図３（ｆ）参照）。
【００３９】
輪郭補正信号Ｓ２ ＝ 信号Ｖ２ − 信号Ｖ４ 
＝ 信号Ｖ２ −｛(画像信号Ｓ１＋信号Ｖ３)／２｝
【００４０】
このように、輪郭補正信号発生回路３０では、上述した処理を実行することによって画像信号Ｓ１の直流成分や低周波の成分を除去し、輪郭成分（高周波成分）だけの信号を抽出して輪郭補正信号Ｓ２を生成する。
【００４１】
続いて、図１の撮像装置によるフォーカス調整時の制御動作について、図４のフローチャートを参照しながら説明する。
【００４２】
撮影動作を開始すると、撮像回路２０は、撮像レンズ１０を介して取り込まれる映像から画像信号Ｓ１を生成する。
【００４３】
一方、輪郭補正信号発生回路３０では、撮像回路２０で生成された画像信号Ｓ１から輪郭成分のみを抽出した輪郭補正信号Ｓ２を生成する。
【００４４】
そして、フォーカス調整部２５によりフォーカス調整を開始すると、フォーカス調整動作検出回路４０では、フォーカス調整部２５の動作を検出する（ＳＴ１０１）。
【００４５】
そして、検出した動作に基づいて切換送出回路５０の切り換え動作を制御するための切換制御信号を生成して切換送出回路５０に送る（ＳＴ１０２）。
【００４６】
切換送出回路５０は、フォーカス調整動作検出回路４０から送られてくる切換制御信号に従ってスイッチの切り換えを実行する（ＳＴ１０３）。
【００４７】
フォーカスの調整動作が手動であると判定すると切換送出回路５０は、スイッチをａ側に切り換える（ＳＴ１０３→ＳＴ１０４）。
【００４８】
スイッチがａ側に切り換わると、輪郭補正信号発生回路３０で生成される輪郭補正信号Ｓ２が画像表示回路６０に送られ、画像信号Ｓ１から輪郭成分のみを抽出した輪郭補正信号Ｓ２が画面表示される（ＳＴ１０５）。
【００４９】
そして、この画面表示された輪郭補正信号Ｓ２を見ながら、フォーカス調整部２５を手動操作してフォーカスを調整し、調整が終了すると、フォーカス調整部２５によって手動調整の終了操作を実行する（ＳＴ１０６）。
【００５０】
フォーカス調整動作検出回路４０は、フォーカス調整部２５の調整終了動作を検出すると、切換制御信号を生成して切換送出回路５０に送る（ＳＴ１０７、ＳＴ１０８）。
【００５１】
切換送出回路５０は、この切換制御信号に従ってスイッチをａ側からｂ側に切り換える（ＳＴ１０９）。
【００５２】
スイッチがｂ側に切り換わると、撮像回路２０で生成される画像信号Ｓ１が画像表示回路６０に送られ、フォーカス調整後の画像信号Ｓ１（映像）が画面表示される（ＳＴ１１０）。
【００５３】
ここで、画面表示された画像信号Ｓ１（映像）の合焦状態を確認し、再度フォーカス調整するか否かを判断する（ＳＴ１１１）。
【００５４】
フォーカス調整動作を終了する場合、フォーカス調整部２５で所定の終了操作を実行することにより、フォーカス調整動作検出回路４０が動作終了を検出し、フォーカスの調整動作が終了となる（ＳＴ１１１→終了）。
【００５５】
フォーカスを手動調整する場合、フォーカス調整部２５で手動調整開始の操作を実行することにより、再度、ステップＳＴ１０１の処理に移行し、フォーカス調整動作検出回路４０が調整開始動作を検出し、この動作に応じて生成した切換制御信号（ｂ側→ａ側）を切換送出回路５０に送り、切換送出回路５０がスイッチをｂ側からａ側に切り換えて輪郭補正信号Ｓ２を画面表示させる（ＳＴ１１１→ＳＴ１０１〜ＳＴ１０５）。
【００５６】
そして、上述したステップＳＴ１０５以降の処理と同様に、再度、フォーカス調整部２５により手動操作によるフォーカス調整を行う（ＳＴ１０５→・・・）。
【００５７】
一方、上述したステップＳＴ１０３の処理において、フォーカスの調整動作が手動でない場合、切換送出回路５０は、スイッチをｂ側に切り換える（ＳＴ１０３→ＳＴ１２０）。
【００５８】
スイッチがｂ側に切り換わると、撮像回路２０で生成される画像信号Ｓ１が画像表示回路６０に送られ、撮影中の映像から生成される画像信号Ｓ１がそのまま画面表示される（ＳＴ１２１）。
【００５９】
ここで、画面表示された画像信号Ｓ１の合焦状態などを確認し、フォーカスを調整するか否かを判断する（ＳＴ１２２）。
【００６０】
フォーカス調整動作を終了する場合は、フォーカス調整部２５で所定の終了操作を実行することにより、フォーカス調整動作検出回路４０が動作終了を検出し、フォーカスの調整動作が終了となる（ＳＴ１２２→終了）。
【００６１】
フォーカスを調整したい場合は、フォーカス調整部２５で手動調整開始の操作を実行することにより、再度、ステップＳＴ１０１の処理に移行し、フォーカス調整動作検出回路４０が調整開始動作を検出し、この動作に応じて生成した切換制御信号（ｂ側→ａ側）を切換送出回路５０に送り、切換送出回路５０がスイッチをｂ側からａ側に切り換えて輪郭補正信号Ｓ２を画面表示させる（ＳＴ１１１→ＳＴ１０１〜ＳＴ１０５）。
【００６２】
そして、上述したステップＳＴ１０５以降の処理と同様に、フォーカス調整部２５により手動操作によるフォーカス調整を行う（ＳＴ１０５→・・・）。
【００６３】
このように、フォーカス調整動作検出手段４０によって検出したフォーカス調整部２５の動作に応じて、撮像レンズ１０を介して取り込んだ映像から生成する画像信号Ｓ１と、この画像信号Ｓ１の輪郭成分を抽出して生成する輪郭補正信号Ｓ２を切り換えて画面表示するものである。
【００６４】
なお、輪郭補正信号生成回路３０より画像信号Ｓ１から抽出した輪郭成分に所定の色情報を付加した輪郭補正信号Ｓ２を生成して画面表示させることもできる。また、画像表示回路６０によって画像信号Ｓ１と輪郭補正信号Ｓ２を合成してから画面表示することも可能である。
【図面の簡単な説明】
【００６５】
【図１】本願発明に係る撮影装置の主要部の構成を簡略化して示したブロック図である。
【図２】図１に示す撮影装置における輪郭補正信号発生回路の動作を説明するためのブロック図である。
【図３】図２に示す輪郭補正信号発生回路において、輪郭補正信号を生成する過程で各部から出力される信号を模式化して示した説明図である。
【図４】図１に示す撮影装置の制御動作を説明するためのフローチャートである。
【図５】従来技術における輪郭強調回路を備えた撮像装置の主要部の構成を簡略化して示したブロック図である。
【符号の説明】
【００６６】
１０；撮像レンズ
２０；撮像回路
２５；フォーカス調整部
３０；輪郭補正信号発生回路
３１；遅延回路
３２；遅延部
３３；加算処理部
３４；演算処理部
３５；減算処理部
４０；フォーカス調整動作検出回路
５０；切換送出回路
６０；画像表示回路
１０Ａ；撮像レンズ
２０Ａ；撮像回路
３０Ａ；輪郭強調回路
６０Ａ；画像表示回路
１Ａ；遅延回路
２Ａ；加算回路
【図１】
2005278053.tif 000003
【図２】
2005278053.tif 000004
【図３】
2005278053.tif 000005
【図４】
2005278053.tif 000006
【図５】
2005278053.tif 000007